(57)【要約】【課題】天井パネルの端部と壁面とを固定するランナ野縁を得る。【解決手段】ランナ野縁１０は、０．８ミリメートルの厚さを有する長尺の鉄板を、長手方向に沿って曲げることにより作成される長尺部材である。壁面に固定される壁面固定部１１と、壁面固定部１１に接続されるパネル固定部１２及び第２の野縁受け固定部１４と、パネル固定部１２から接続部１５を介して接続される第１の野縁受け固定部１３とを主に備える。パネル固定部１２は、壁面固定部１１に対して９０度を成すように壁面固定部１１に接続される。パネル固定部１２に対して直角となるように、パネル固定部１２の端部が接続部１５に接続される。壁面固定部１１に対して直角となるように、接続部１５の端部に第１の野縁受け固定部１３が接続される。第２の野縁受け固定部１４は、壁面固定部１１に対して８８度以上９０度未満となるように壁面固定部１１に接続される。【選択図】図２
2012136833.tif 000002
【特許請求の範囲】
【請求項１】
壁面に固定される壁面固定部と、
壁面に対して第１の角度を成すように前記壁面固定部に接続されるパネル固定部と、
壁面に対して第１の角度を成すように前記パネル固定部に接続された第１の野縁受け固定部と、
壁面に対して第２の角度を成すように前記壁面固定部に接続された第２の野縁受け固定部とを備え、
前記第１の野縁受け固定部は、前記第２の野縁受け固定部に対して略平行となるように設けられるランナ野縁。
【請求項２】
前記第１の野縁受け固定部は、前記パネル固定部から直角に接続された接続部を介して前記パネル固定部に接続される請求項１に記載のランナ野縁。
【請求項３】
前記第１の角度は９０度であって、前記パネル固定部は、壁面に対して直角となるように前記壁面固定部に接続される請求項１に記載のランナ野縁。
【請求項４】
前記第２の角度は８８度以上９０度未満である請求項１に記載のランナ野縁。
【請求項５】
前記壁面固定部、前記パネル固定部、前記第１の野縁受け固定部、及び第２の野縁受け固定部は、壁面に沿って延びる平板から成る請求項１に記載のランナ野縁。
【請求項６】
前記第１の野縁受け固定部と第２の野縁受け固定部との間に野縁受けが設けられる請求項１に記載のランナ野縁。
【請求項７】
前記壁面固定部はねじによって壁面に固定され、前記パネル固定部はねじにより天井パネル及び見切り材に固定され、前記第１の野縁受け固定部はねじにより野縁受けに固定される請求項１に記載のランナ野縁。
【発明の詳細な説明】
【技術分野】
【０００１】
本発明は、天井パネルに取り付けられる野縁、及び野縁受けを壁面に固定するランナに関する。
【背景技術】
【０００２】
天井パネルは、吊り金具によって天井スラブから吊り下げられる。吊り金具は、天井パネルを支持する野縁と、野縁を支持する野縁受けと、天井スラブから吊り下げられて野縁受けを吊り下げる吊りボルトとから主に構成される。野縁はビスによって天井パネルと接続され、野縁はクリップによって野縁受けに固定される。吊りボルト及び野縁受けは、略９００ｍｍの間隔で設けられるとともに、天井パネルの端部に最も近接する吊りボルト及び野縁受けは、天井パネルの端部から１５０ｍｍ以内に設けられる。野縁は、野縁受けから１５０ｍｍ以上突き出さないように設けられる。天井パネルの端部には見切り材が嵌められて、天井パネルの端部と壁面との間の隙間を埋める。野縁受けの端部にはランナが取り付けられて、野縁受けを壁面に固定する（特許文献１）。
【先行技術文献】
【特許文献】
【０００３】
【特許文献１】特開２００９−３５９６０号公報
【発明の概要】
【発明が解決しようとする課題】
【０００４】
天井パネルと天井スラブとの間には、空調ダクトや電気配線ラックが設けられる。これらが障害となって吊りボルトを天井パネルの端部から１５０ｍｍ以内に設けることができない場合がある。この場合、吊りボルトから天井パネルの端部に向けて野縁受けが１５０ｍｍ以上に突き出すため、天井パネルが遊んでしまうことになる。このような状態の下で建築物が振動すると、見切り材がずれて壁面と見切り材との間に隙間が空いたり、天井パネルが壁面にぶつかって天井パネルが割れてしまったりするおそれがある。
【０００５】
本発明はこれらの問題に鑑みてなされたものであり、天井パネルの端部と壁面とを固定するランナ野縁を得ることを目的とする。
【課題を解決するための手段】
【０００６】
本発明のランナ野縁は、壁面に固定される壁面固定部と、壁面に対して第１の角度を成すように壁面固定部に接続されるパネル固定部と、壁面に対して第１の角度を成すようにパネル固定部に接続される第１の野縁受け固定部と、壁面に対して第２の角度を成すように壁面固定部に接続される第２の野縁受け固定部とを備え、第１の野縁受け固定部は、第２の野縁受け固定部に対して略平行となるように設けられることを特徴とする。
【０００７】
第１の野縁受け固定部は、パネル固定部から直角に接続される接続部を介してパネル固定部に接続されることが好ましい。
【０００８】
第１の角度は９０度であって、パネル固定部は、壁面に対して直角となるように壁面固定部に接続されることが好ましい。
【０００９】
第２の角度は８８度以上９０度未満であってもよい。野縁受けを容易に保持できる。
【００１０】
壁面固定部、パネル固定部、第１の野縁受け固定部、及び第２の野縁受け固定部は、壁面に沿って延びる平板から成ることが好ましい。
【００１１】
第１の野縁受け固定部と第２の野縁受け固定部との間に野縁受けが設けられことが好ましい。
【００１２】
壁面固定部はねじによって壁面に固定され、パネル固定部はねじにより天井パネル及び見切り材に固定され、第１の野縁受け固定部はねじにより野縁受けに固定されることが好ましい。
【発明の効果】
【００１３】
本発明によれば、天井パネルの端部と壁面とを固定するランナ野縁を得る。
【図面の簡単な説明】
【００１４】
【図１】本願発明によるランナ野縁が使用されている状態を天井スラブ側から図示した斜視図である。
【図２】ランナ野縁の斜視図である。
【図３】ランナ野縁が使用されている状態を示した断面図である。
【図４】ランナ野縁の施工手順を示す図である。
【発明を実施するための形態】
【００１５】
以下、本発明による一実施形態について図面を参照して説明する。まず図１を用いて、ランナ野縁１０を用いて天井ボード２０を取りつけた状態について説明する。
【００１６】
天井ボード２０は、図示しない天井スラブから吊り金具によって吊り下げられる。吊り金具は、ランナ野縁１０、野縁３０、野縁受け４０、及び吊りボルト５０から主に構成される。天井ボード２０の端部と壁面７２との間の隙間を埋めるために、天井ボード２０の端部に見切り材６０が嵌められる。野縁３０は、Ｃチャンネルであって、天井ボード２０上に等間隔で複数設けられて天井ボード２０に固定される。野縁受け４０は、野縁３０と直交するように野縁３０の上に複数設けられて野縁３０に固定される。吊りボルト５０は、天井スラブから吊り下げられて、野縁受け４０に取り付けられた受け金具５１を介して野縁受け４０に固定される。ランナ野縁１０は、壁７０、天井ボード２０、及び野縁受け４０とタッピンビスによって固定される。
【００１７】
図２を用いてランナ野縁１０の形状について説明する。
【００１８】
ランナ野縁１０は、０．８ミリメートルの厚さを有する長尺の鉄板を、長手方向に沿って曲げることにより作成される長尺部材である。壁面７２に固定される壁面固定部１１と、壁面固定部１１に接続されるパネル固定部１２及び第２の野縁受け固定部１４と、パネル固定部１２から接続部１５を介して接続される第１の野縁受け固定部１３とを主に備える。
【００１９】
壁面固定部１１は、長方形の平板であって、鉛直方向における長さは野縁の大きさに応じて適宜決定される。例えば、野縁にＣ−３８のＣチャンネルを用いる場合、壁面固定部１１の鉛直方向長さは５７．８ｍｍである。
【００２０】
パネル固定部１２は、壁面固定部１１に対して第１の角度αを成すように壁面固定部１１に接続される。第１の角度αは９０度である。パネル固定部１２の水平方向に対する長さは、４０ｍｍである。壁面固定部１１と平行、つまりパネル固定部１２に対して直角となるように、パネル固定部１２の端部に接続部１５が接続される。接続部１５の鉛直方向に対する長さは、１９ｍｍである。
【００２１】
パネル固定部１２と平行、つまり壁面固定部１１に対して直角となるように、第１の野縁受け固定部１３が接続部１５の端部に接続される。第１の野縁受け固定部１３の水平方向に対する長さは、１０ｍｍである。
【００２２】
第２の野縁受け固定部１４は、壁面固定部１１に対して第２の角度βを成すように壁面固定部１１に接続される。第２の角度βは、８８度以上９０度未満である。第１の野縁受け固定部１３は、第２の野縁受け固定部１４に対して略平行、つまり０度より大きく２度以下の角度を成す。第２の野縁受け固定部１４の水平方向に対する長さは、３０ｍｍである。
【００２３】
第１の野縁受け固定部１３と第２の野縁受け固定部１４との鉛直方向に対する間隔は、野縁の大きさに応じて適宜決定される。例えば、野縁にＣ−３８のＣチャンネルを用いる場合、第１の野縁受け固定部１３と第２の野縁受け固定部１４との鉛直方向に対する間隔は、３７ｍｍである。またこのとき、第１の野縁受け固定部１３の上端面と第２の野縁受け固定部１４の上端面との鉛直方向における間隔は、３８ｍｍである。
【００２４】
図３を用いて取り付け状態の詳細について説明する。
【００２５】
壁面固定部１１は、壁面用タッピンビス７１により壁面又は柱面に固定される。以下、壁面又は柱面を壁面７２等という。第１の野縁受け固定部１３と第２の野縁受け固定部１４との間に野縁受け４０が挿入される。第１の野縁受け固定部１３は、第２の野縁受け固定部１４に対して０度より大きく２度以下の角度を成すため、第１の野縁受け固定部１３と第２の野縁受け固定部１４との間に野縁受け４０が容易に挟持される。第１の野縁受け固定部１３と野縁受け４０とを貫通するように金具用タッピンビス４１がねじ込まれる。これにより、野縁受け４０がランナ野縁１０に固定される。第１の野縁受け固定部１３と第２の野縁受け固定部１４との間に野縁受け４０が挟持されているため、金具用タッピンビス４１をねじ込むときに作業者が野縁受け４０を保持する必要が無い。そのため、ねじ込み作業が容易となる。
【００２６】
野縁３０は、ボード用タッピンビス２１により天井ボード２０と固定される。野縁受け４０は、野縁クリップ３１によって野縁３０に取り付けられる。パネル固定部１２と見切り材６０とを貫通するようにボード用タッピンビス２１がねじ込まれる。これにより、天井ボード２０及び見切り材６０がランナ野縁１０に固定される。また、第１の野縁受け固定部１３が壁面７２に対して直角に設けられるため、天井ボード２０が壁面７２に対して直角に設けられる。第１の野縁受け固定部１３がパネル固定部１２に対して平行に設けられるため、野縁受け４０と天井ボード２０とを容易に平行にできる。
【００２７】
次に、図４を用いて施工手順について説明する。
【００２８】
始めのステップＳ４１では、天井ボード２０の下端位置を壁面７２等に墨出しする。そして、墨出し位置に合わせてランナ野縁１０を配置する。
【００２９】
次のステップＳ４２では、壁面７２等にランナ野縁１０をねじ等で固定する。具体的には、壁面固定部１１を壁面７２等と密着させ、壁面固定部１１から壁面７２等の下地材までねじ等をねじ込む。ねじ等は壁面７２等の下地材に応じて決定され、下地材がコンクリート製の場合、ランナ野縁１０はコンクリート用ねじで固定され、鋼製の場合、ランナ野縁１０は鋼製下地用ビスで固定される。ねじ等は、約９００ｍｍ間隔でランナ野縁１０及び壁面７２等にねじ込まれ、ランナ野縁１０の端部に最も近いねじ等とランナ野縁１０の端部との距離は、５０ｍｍ以下に収められる。
【００３０】
ステップＳ４３では、第１の野縁受け固定部１３と第２の野縁受け固定部１４との間に野縁受け４０を挟み込む。第１の野縁受け固定部１３は、第２の野縁受け固定部１４に対して０度より大きく２度以下の角度を成すため、第１の野縁受け固定部１３と第２の野縁受け固定部１４との間に野縁受け４０が容易に挟持される。
【００３１】
ステップＳ４４では、野縁クリップ３１を用いて野縁３０を野縁受け４０に取り付ける。
【００３２】
ステップＳ４５では、天井ボード２０の端部に見切り材６０を取り付けた後、ランナ野縁１０及び野縁３０に天井ボード２０をボード用タッピンビス２１で固定する。これにより、ランナ野縁１０を用いて天井ボード２０が取り付けられる。
【００３３】
本実施形態によれば、天井ボード２０の端部を壁面７２に容易に固定できる。
【００３４】
なお、第１の角度αは９０度に限定されない。第２の角度βを９０度として、第１の角度αを８８度以上９０度未満としてもよい。
【００３５】
また、第２の角度βは、第１の野縁受け固定部１３と第２の野縁受け固定部１４との間に野縁受け４０を挟持可能な程度の角度であれば良く、８８度以上９０度未満に限定されない。
【００３６】
なお、鍋タッピンビスを容易にねじ込むため、壁面固定部１１の適切な位置に孔が設けられても良い。同様に、パネル固定部１２及び第１の野縁受け固定部１３に孔が設けられても良い。
【００３７】
なお、野縁３０はＣチャンネル以外の部材であってもよい。第１の野縁受け固定部１３がパネル固定部１２に対して平行でなくてもよく、第１の野縁受け固定部１３が壁面７２に対して直角に設けられなくてもよい。
【００３８】
壁面固定部１１、パネル固定部１２、第１の野縁受け固定部１３、第２の野縁受け固定部１４、及び接続部１５の長さは前述のものに限定されない。例えば、ＣチャンネルがＣ−４０、Ｃ−４５、Ｃ−５０、Ｃ−６０、Ｃ−６５、Ｃ−７５、Ｃ−９０、又はＣ−１００である場合、壁面固定部１１の鉛直方向長さは、それぞれ５９．８ｍｍ、６４．８ｍｍ、６９．８ｍｍ、７９．８ｍｍ、８４．８ｍｍ、９４．８ｍｍ、１０９．８ｍｍ、又は１１９．８ｍｍである。同様に、第１の野縁受け固定部１３と第２の野縁受け固定部１４との鉛直方向に対する間隔は、それぞれ３９ｍｍ、４４ｍｍ、４９ｍｍ、５９ｍｍ、６４ｍｍ、７４ｍｍ、８９ｍｍ、又は９９ｍｍであり、第１の野縁受け固定部１３の上端面と第２の野縁受け固定部１４の上端面との鉛直方向における間隔は、それぞれ４０ｍｍ、４５ｍｍ、５０ｍｍ、６０ｍｍ、６５ｍｍ、７５ｍｍ、９０ｍｍ、又は１００ｍｍである。
【符号の説明】
【００３９】
１０  ランナ野縁
１１  壁面固定部
１２  パネル固定部
１３  第１の野縁受け固定部
１４  第２の野縁受け固定部
１５  接続部
２０  天井ボード
２１  ボード用タッピンビス
３０  野縁
３１  野縁クリップ
４１  金具用タッピンビス
５０  ボルト
５１  受け金具
６０  見切り材
７０  壁
７１  壁面用タッピンビス
７２  壁面
【図１】
2012136833.tif 000003
【図２】
2012136833.tif 000004
【図３】
2012136833.tif 000005
【図４】
2012136833.tif 000006